【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
患者に活性物質を一定流量または可変流量で投与する埋込み式注入ポンプにおいて、
上面、活性物質チャンバ、第１の可撓性薄膜によって前記活性物質チャンバから分離された推進剤チャンバ、カテーテル、前記活性物質チャンバに流体連通する出口開口、および前記カテーテルに流体連通する入口開口を画成するポンプハウジングと、
前記ポンプハウジングに取付けられるモジュールであって、前記ポンプハウジングの上面に当接する底面、前記ポンプハウジングの出口開口に流体連通させて前記底面に形成された入口、前記ポンプハウジングの入口開口に流体連通する出口、弁本体の内部に配置されるとともにその長さに沿って縦方向に変化する断面を有する弁部、前記弁本体内で前記弁部を縦方向に移動させる手段、前記活性物質チャンバの活性物質の圧力を検出する第１の圧力センサ、並びに前記第1の圧力センサの下流側に位置する活性物質の圧力を検出する第２の圧力センサを含むモジュールと
を備え、
ポンプ作動中に、前記推進剤チャンバからの力によって前記活性物質チャンバから排出された流体が、前記ポンプハウジングの出口開口を通り、前記モジュールの入口を通り、前記モジュールの弁本体を通り、前記モジュールの出口を通り、前記ポンプハウジングの入口開口を通り、前記カテーテルを通るように構成されている、埋込み式注入ポンプ。
【請求項２】
前記ポンプハウジングが、前記入口開口に流体連通するとともに前記カテーテルを取付けた出口をさらに有している、請求項１に記載の埋込み式注入ポンプ。
【請求項３】
定流量抵抗体をさらに備えている請求項１に記載の埋込み式注入ポンプ。
【請求項４】
前記定流量抵抗体が毛細管を有している、請求項３に記載の埋込み式注入ポンプ。
【請求項５】
前記第１および第２の圧力センサが、前記定流量抵抗体の両側のいずれか一方における圧力を検出するように構成されている、請求項３に記載の埋込み式注入ポンプ。
【請求項６】
前記ポンプハウジングが、上部と、下部と、第２の可撓性薄膜とをさらに有し、前記上部及び前記下部が、一緒になって、前記上部と前記下部との間に前記第１及び第２の可撓性薄膜を保持するように構成されている、請求項１に記載の埋込み式注入ポンプ。
【請求項７】
前記モジュールが、前記ポンプハウジングに着脱可能に取付けられている、請求項６に記載の埋込み式注入ポンプ。
【請求項８】
前記モジュールが、少なくとも１つのネジによって、前記ポンプハウジングに着脱可能に取付けられている、請求項７に記載の埋込み式注入ポンプ。
【請求項９】
前記ポンプハウジングの上面が肩部を形成する直立延長部を有している、請求項１に記載の埋込み式注入ポンプ。
【請求項１０】
前記肩部に接続され、かつ前記モジュールを覆うキャップをさらに備えている請求項９に記載の埋込み式注入ポンプ。
【請求項１１】
前記弁部が中心点を有し、前記中心点に対していずれか一方側に位置する前記弁部の断面が、鏡面対称に形成されている、請求項１に記載の埋込み式注入ポンプ。
【請求項１２】
前記弁部を前記弁本体内で縦方向に移動させる前記手段が、モータと、オフセットカムとを有している、請求項１に記載の埋込み式注入ポンプ。
【請求項１３】
前記モジュールが、前記モータに接続された偏心カム本体をさらに有している、請求項１に記載の埋込み式注入ポンプ。
【請求項１４】
前記弁本体内における前記弁部の縦方向の移動が、前記活性物質チャンバから前記弁本体内を通る流体の流れと略直交するように構成されている、請求項１に記載の埋込み式注入ポンプ。
【請求項１５】
前記第１および第２の圧力センサが、前記モジュールの固体材料部分に形成されたシートの内側に配置されている、請求項１に記載の埋込み式注入ポンプ。
【請求項１６】
前記固体材料部分がＰＥＥＫ樹脂から構成されている、請求項１５に記載の埋込み式注入ポンプ。
【請求項１７】
前記モジュールが、前記第１のセンサおよび前記第２のセンサから送られる圧力情報を処理可能とするプロセッサチップをさらに有している、請求項１に記載の埋込み式注入ポンプ。
【請求項１８】
前記モジュールが電子回路基板をさらに有し、前記プロセッサチップが前記電子回路基板上に実装されている、請求項１７に記載の埋込み式注入ポンプ。
【請求項１９】
前記モジュールが電源をさらに有している、請求項１８に記載の埋込み式注入ポンプ。
【請求項２０】
前記電源が少なくとも１つのバッテリを有している、請求項１９に記載の埋込み式注入ポンプ。
【請求項２１】
外部発信源から送られる所望の流量に関する情報を受信するアンテナをさらに備えている、請求項１７に記載の埋込み式注入ポンプ。
【請求項２２】
前記外部発信源が手持ち操作式の装置となっている、請求項２１に記載の埋込み式注入ポンプ。
【請求項２３】
前記外部発信源がネットワークとなっている、請求項２１に記載の埋込み式注入ポンプ。
【請求項２４】
前記モジュールが、締結手段によって前記ハウジングの上面に取付けられている、請求項１に記載の埋込み式注入ポンプ。
【請求項２５】
患者に活性物質を可変流量で投与する埋込み式注入ポンプにおいて、
活性物質チャンバ、第１の可撓性薄膜によって前記活性物質チャンバから分離された推進剤チャンバ、および前記活性物質チャンバに流体連通するカテーテルを画成するポンプハウジングと、
前記活性物質チャンバに流体連通する定流量抵抗体と、
前記定流量抵抗体に入る前における活性物質の圧力を検出する第１の圧力センサと、
前記定流量抵抗体から出た後における活性物質の圧力を検出する第２の圧力センサと、
弁本体の内部に配置され、かつその長さに沿って縦方向に変化する断面を有する弁部と、
前記弁本体内で前記弁部を縦方向に移動させるモータと
を備え、
ポンプ作動中に、前記推進剤チャンバからの力によって前記活性物質チャンバから排出された流体が、前記定流量抵抗体を通り、前記弁本体を通り、前記カテーテルを通るように構成されている、埋込み式注入ポンプ。
【請求項２６】
前記第１の圧力センサと、前記第２の圧力センサと、前記弁部と、前記弁本体内で前記モータとが、前記ポンプハウジングに取付けられたモジュール内に配置されている、請求項２５に記載の埋込み式注入ポンプ。
【請求項２７】
前記ポンプハウジングが、前記活性物質チャンバに流体連通するとともに前記カテーテルを取付けた出口をさらに有している、請求項２５に記載の埋込み式注入ポンプ。
【請求項２８】
前記定流量抵抗体が毛細管を有している、請求項２５に記載の埋込み式注入ポンプ。
【請求項２９】
前記モジュールを覆うキャップをさらに備えている請求項２６に記載の埋込み式注入ポンプ。
【請求項３０】
前記弁部が中心点を有し、前記中心点に対していずれか一方側に位置する前記弁部の断面が、鏡面対称に形成されている、請求項２５に記載の埋込み式注入ポンプ。
【請求項３１】
前記弁部を前記弁本体内で縦方向に移動させる前記手段が、モータと、オフセットカムとを有している、請求項２５に記載の埋込み式注入ポンプ。
【請求項３２】
前記弁本体内における前記弁部の縦方向の移動が、前記活性物質チャンバから前記弁本体内を通る流体の流れと略直交するように構成されている、請求項２５に記載の埋込み式注入ポンプ。
【請求項３３】
前記モジュールが、前記第１のセンサおよび前記第２のセンサから送られる圧力情報を処理可能とするプロセッサチップをさらに有している、請求項２５に記載の埋込み式注入ポンプ。
【請求項３４】
前記モジュールが電子回路基板をさらに有し、前記プロセッサチップが前記電子回路基板上に実装されている、請求項３３に記載の埋込み式注入ポンプ。
【請求項３５】
電源をさらに備えている請求項２５に記載の埋込み式注入ポンプ。
【請求項３６】
前記電源が少なくとも１つのバッテリを有している、請求項３５に記載の埋込み式注入ポンプ。
【請求項３７】
外部発信源から送られる所望の流量に関する情報を受信するアンテナをさらに備えている、請求項２５に記載の埋込み式注入ポンプ。
【請求項３８】
患者に活性物質を可変流量で投与する埋込み式注入ポンプにおいて、
上部および下部、活性物質チャンバ、前記上部および前記下部の間で保持された第１および第２の可撓性薄膜によって画成された推進剤チャンバ、カテーテルを取付ける出口ダクト、前記活性物質チャンバに流体連通される出口開口、並びに前記出口ダクトに流体連通される入口開口を有するポンプハウジングと、
前記ポンプハウジングに取付けられるモジュールであって、前記ポンプハウジングの上面に当接する底面、前記ポンプハウジングの出口開口に流体連通させて前記底面に形成された入口、前記ポンプハウジングの入口開口に流体連通する出口、弁本体の内部に配置されるとともにその長さに沿って縦方向に変化する断面を有する弁部、前記弁本体内で前記弁部を縦方向に移動させる手段、前記活性物質チャンバの活性物質の圧力を検出する第１の圧力センサ、並びに前記第１の圧力センサの下流側に位置する活性物質の圧力を検出する第２の圧力センサを含むモジュールと、
前記ポンプハウジングに取付けられるとともに前記モジュールを覆うキャップと
を備え、
ポンプ作動中に、前記推進剤チャンバからの力によって前記活性物質チャンバから排出された流体が、前記ポンプハウジングの出口開口を通り、前記モジュールの入口を通り、前記モジュールの弁本体を通り、前記モジュールの出口を通り、前記ポンプハウジングの入口開口を通り、前記出口ダクトを通り、前記カテーテルを通るように構成されている、埋込み式注入ポンプ。
【請求項３９】
定流量抵抗体をさらに備えている請求項３８に記載の埋込み式注入ポンプ。
【請求項４０】
前記定流量抵抗体が毛細管を有している、請求項３９に記載の埋込み式注入ポンプ。